【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
アプリケーションの設定を行う情報処理装置と、前記アプリケーションの処理を実行するサーバとが通信可能な情報処理システムであって、
前記情報処理装置は、
前記アプリケーションを利用するクライアント装置から送信された検索処理の要求に応じて前記サーバで実行される当該検索処理の検索条件と、当該検索処理の検索結果として表示する前記アプリケーションの画面に含める表示項目との設定を受け付ける設定受付手段と、
前記設定受付手段により設定を受け付けた検索条件と、前記表示項目の識別情報とを前記サーバに記憶させる設定情報記憶制御手段と
を備え、
前記サーバは、
前記設定情報記憶制御手段の制御に従って、前記設定受付手段により設定を受け付けた検索条件と、表示項目の識別情報とを記憶する設定情報記憶手段と、
前記クライアント装置から送信された前記検索処理の要求を受け付ける検索要求受付手段と、
前記設定情報記憶手段に記憶されている検索条件と、表示項目の識別情報とを取得する設定情報取得手段と、
前記検索要求受付手段により受け付けた検索処理の要求に応じて、前記設定情報取得手段により取得された検索条件を用いて前記検索処理を実行する検索実行手段と、
前記検索実行手段により実行された検索処理により取得された検索結果を用いて、前記設定情報取得手段により取得された表示項目の識別情報に対応する項目を含む検索結果情報を生成する検索結果情報生成手段と、
前記検索結果情報生成手段により生成された検索結果情報を前記クライアント装置に送信する検索結果情報送信手段と
を備えることを特徴とする情報処理システム。
【請求項２】
前記検索結果情報生成手段は、
前記アプリケーションの画面に表示するために、前記検索実行手段により実行された検索処理により取得された検索結果を用いて、前記設定情報取得手段により取得された表示項目の識別情報に対応する項目を含む検索結果画面情報を生成し、
前記検索結果情報送信手段は、
前記検索結果情報生成手段により生成された検索結果画面情報を前記クライアント装置に送信すること
を特徴とする請求項１に記載の情報処理システム。
【請求項３】
前記設定受付手段は、前記表示項目のレイアウトの設定を受け付け、
前記設定情報記憶制御手段は、前記設定受付手段により設定を受け付けたレイアウトを前記サーバに記憶させ、
前記設定情報記憶手段は、前記設定情報記憶制御手段の制御に従って、前記設定受付手段により設定されたレイアウトを記憶し、
前記設定情報取得手段は、前記設定情報記憶手段に記憶されているレイアウトを取得し、
前記検索結果情報生成手段は、
前記アプリケーションの画面に表示するために、前記検索実行手段により実行された検索処理により取得された検索結果を用いて、前記設定情報取得手段により取得されたレイアウトに従って、前記設定情報取得手段により取得された表示項目の識別情報に対応する項目を配置した検索結果画面情報を生成すること
を特徴とする請求項２に記載の情報処理システム。
【請求項４】
前記アプリケーションは、Ｗｅｂサービスであって、
前記アプリケーションの画面は、前記Ｗｅｂサービスの実行結果を含む画面であること
を特徴とする請求項１乃至３のいずれか１項に記載の情報処理システム。
【請求項５】
アプリケーションを利用するクライアント装置から送信された検索処理の要求に応じてサーバで実行される当該検索処理の検索条件と、当該検索処理の検索結果として表示する前記アプリケーションの画面に含める表示項目との設定を受け付ける設定受付手段と、前記設定受付手段により設定を受け付けた検索条件と、前記表示項目の識別情報とを前記サーバに記憶させる設定情報記憶制御手段とを備える情報処理装置と通信可能な前記サーバであって、
前記設定情報記憶制御手段の制御に従って、前記設定受付手段により設定を受け付けた検索条件と、表示項目の識別情報とを記憶する設定情報記憶手段と、
前記クライアント装置から送信された前記検索処理の要求を受け付ける検索要求受付手段と、
前記設定情報記憶手段に記憶されている検索条件と、表示項目の識別情報とを取得する設定情報取得手段と、
前記検索要求受付手段により受け付けた検索処理の要求に応じて、前記設定情報取得手段により取得された検索条件を用いて前記検索処理を実行する検索実行手段と、
前記検索実行手段により実行された検索処理により取得された検索結果を用いて、前記設定情報取得手段により取得された表示項目の識別情報に対応する項目を含む検索結果情報を生成する検索結果情報生成手段と、
前記検索結果情報生成手段により生成された検索結果情報を前記クライアント装置に送信する検索結果情報送信手段と
を備えることを特徴とするサーバ。
【請求項６】
アプリケーションの設定を行う情報処理装置において設定を受け付けた検索条件と、前記アプリケーションの画面に含める表示項目の識別情報とを記憶する設定情報記憶手段と、前記アプリケーションを利用するクライアント装置から送信された検索処理の要求を受け付ける検索要求受付手段と、前記設定情報記憶手段に記憶されている検索条件と、表示項目の識別情報とを取得する設定情報取得手段と、前記検索要求受付手段により受け付けた検索処理の要求に応じて、前記設定情報取得手段により取得された検索条件を用いて前記検索処理を実行する検索実行手段と、前記検索実行手段により実行された検索処理により取得された検索結果を用いて、前記設定情報取得手段により取得された表示項目の識別情報に対応する項目を含む検索結果情報を生成する検索結果情報生成手段と、前記検索結果情報生成手段により生成された検索結果情報を前記クライアント装置に送信する検索結果情報送信手段とを備えるサーバと通信可能な前記情報処理装置であって、
前記クライアント装置から送信された検索処理の要求に応じて前記サーバで実行される当該検索処理の検索条件と、当該検索処理の検索結果として表示する前記表示項目との設定を受け付ける設定受付手段と、
前記設定受付手段により設定を受け付けた検索条件と、前記表示項目の識別情報とを前記サーバに記憶させる設定情報記憶制御手段と
を備えることを特徴とする情報処理装置。
【請求項７】
アプリケーションの設定を行う情報処理装置と、前記情報処理装置において設定を受け付けた検索条件と、表示項目の識別情報とを記憶する設定情報記憶手段を備える、前記アプリケーションの処理を実行するサーバとが通信可能な情報処理システムにおける処理方法であって、
前記情報処理装置が、
前記アプリケーションを利用するクライアント装置から送信された検索処理の要求に応じて前記サーバで実行される当該検索処理の検索条件と、当該検索処理の検索結果として表示する前記アプリケーションの画面に含める表示項目との設定を受け付ける設定受付ステップと、
前記設定受付ステップにより設定を受け付けた検索条件と、前記表示項目の識別情報とを前記サーバに記憶させる設定情報記憶制御ステップと
を実行し、
前記サーバが、
前記クライアント装置から送信された前記検索処理の要求を受け付ける検索要求受付ステップと、
前記設定情報記憶手段に記憶されている検索条件と、表示項目の識別情報とを取得する設定情報取得ステップと、
前記検索要求受付ステップにより受け付けた検索処理の要求に応じて、前記設定情報取得ステップにより取得された検索条件を用いて前記検索処理を実行する検索実行ステップと、
前記検索実行ステップにより実行された検索処理により取得された検索結果を用いて、前記設定情報取得ステップにより取得された表示項目の識別情報に対応する項目を含む検索結果情報を生成する検索結果情報生成ステップと、
前記検索結果情報生成ステップにより生成された検索結果情報を前記クライアント装置に送信する検索結果情報送信ステップと
を実行することを特徴とする処理方法。
【請求項８】
アプリケーションを利用するクライアント装置から送信された検索処理の要求に応じてサーバで実行される当該検索処理の検索条件と、当該検索処理の検索結果として表示する前記アプリケーションの画面に含める表示項目との設定を受け付ける設定受付手段と、前記設定受付手段により設定を受け付けた検索条件と、前記表示項目の識別情報とを前記サーバに記憶させる設定情報記憶制御手段とを備える情報処理装置と通信可能な、前記設定情報記憶制御手段の制御に従って、前記設定受付手段により設定を受け付けた検索条件と、表示項目の識別情報とを記憶する設定情報記憶手段を備える前記サーバにおける処理方法であって、
前記サーバが、
前記クライアント装置から送信された前記検索処理の要求を受け付ける検索要求受付ステップと、
前記設定情報記憶手段に記憶されている検索条件と、表示項目の識別情報とを取得する設定情報取得ステップと、
前記検索要求受付ステップにより受け付けた検索処理の要求に応じて、前記設定情報取得ステップにより取得された検索条件を用いて前記検索処理を実行する検索実行ステップと、
前記検索実行ステップにより実行された検索処理により取得された検索結果を用いて、前記設定情報取得ステップにより取得された表示項目の識別情報に対応する項目を含む検索結果情報を生成する検索結果情報生成ステップと、
前記検索結果情報生成ステップにより生成された検索結果情報を前記クライアント装置に送信する検索結果情報送信ステップと
を実行することを特徴とする処理方法。
【請求項９】
アプリケーションの設定を行う情報処理装置において設定を受け付けた検索条件と、前記アプリケーションの画面に含める表示項目の識別情報とを記憶する設定情報記憶手段と、前記アプリケーションを利用するクライアント装置から送信された検索処理の要求を受け付ける検索要求受付手段と、前記設定情報記憶手段に記憶されている検索条件と、表示項目の識別情報とを取得する設定情報取得手段と、前記検索要求受付手段により受け付けた検索処理の要求に応じて、前記設定情報取得手段により取得された検索条件を用いて前記検索処理を実行する検索実行手段と、前記検索実行手段により実行された検索処理により取得された検索結果を用いて、前記設定情報取得手段により取得された表示項目の識別情報に対応する項目を含む検索結果情報を生成する検索結果情報生成手段と、前記検索結果情報生成手段により生成された検索結果情報を前記クライアント装置に送信する検索結果情報送信手段とを備えるサーバと通信可能な前記情報処理装置における処理方法であって、
前記情報処理装置が、
前記クライアント装置から送信された検索処理の要求に応じて前記サーバで実行される当該検索処理の検索条件と、当該検索処理の検索結果として表示する前記表示項目との設定を受け付ける設定受付ステップと、
前記設定受付ステップにより設定を受け付けた検索条件と、前記表示項目の識別情報とを前記サーバに記憶させる設定情報記憶制御ステップと
を実行することを特徴とする処理方法。
【請求項１０】
アプリケーションを利用するクライアント装置から送信された検索処理の要求に応じてサーバで実行される当該検索処理の検索条件と、当該検索処理の検索結果として表示する前記アプリケーションの画面に含める表示項目との設定を受け付ける設定受付手段と、前記設定受付手段により設定を受け付けた検索条件と、前記表示項目の識別情報とを前記サーバに記憶させる設定情報記憶制御手段とを備える情報処理装置と通信可能な、前記設定情報記憶制御手段の制御に従って、前記設定受付手段により設定を受け付けた検索条件と、表示項目の識別情報とを記憶する設定情報記憶手段を備える前記サーバで実行可能なプログラムであって、
前記サーバを、
前記クライアント装置から送信された前記検索処理の要求を受け付ける検索要求受付手段と、
前記設定情報記憶手段に記憶されている検索条件と、表示項目の識別情報とを取得する設定情報取得手段と、
前記検索要求受付手段により受け付けた検索処理の要求に応じて、前記設定情報取得手段により取得された検索条件を用いて前記検索処理を実行する検索実行手段と、
前記検索実行手段により実行された検索処理により取得された検索結果を用いて、前記設定情報取得手段により取得された表示項目の識別情報に対応する項目を含む検索結果情報を生成する検索結果情報生成手段と、
前記検索結果情報生成手段により生成された検索結果情報を前記クライアント装置に送信する検索結果情報送信手段
として機能させるための特徴とするプログラム。
【請求項１１】
アプリケーションの設定を行う情報処理装置において設定を受け付けた検索条件と、前記アプリケーションの画面に含める表示項目の識別情報とを記憶する設定情報記憶手段と、前記アプリケーションを利用するクライアント装置から送信された検索処理の要求を受け付ける検索要求受付手段と、前記設定情報記憶手段に記憶されている検索条件と、表示項目の識別情報とを取得する設定情報取得手段と、前記検索要求受付手段により受け付けた検索処理の要求に応じて、前記設定情報取得手段により取得された検索条件を用いて前記検索処理を実行する検索実行手段と、前記検索実行手段により実行された検索処理により取得された検索結果を用いて、前記設定情報取得手段により取得された表示項目の識別情報に対応する項目を含む検索結果情報を生成する検索結果情報生成手段と、前記検索結果情報生成手段により生成された検索結果情報を前記クライアント装置に送信する検索結果情報送信手段とを備えるサーバと通信可能な前記情報処理装置で実行可能なプログラムであって、
前記情報処理装置を、
前記クライアント装置から送信された検索処理の要求に応じて前記サーバで実行される当該検索処理の検索条件と、当該検索処理の検索結果として表示する前記表示項目との設定を受け付ける設定受付手段と、
前記設定受付手段により設定を受け付けた検索条件と、前記表示項目の識別情報とを前記サーバに記憶させる設定情報記憶制御手段
として機能させるための特徴とするプログラム。
【手続補正２】
【補正対象書類名】明細書
【補正対象項目名】０００８
【補正方法】変更
【補正の内容】
【０００８】
本発明の目的は、受け付けた設定に従って実行される検索処理の結果情報を生成するアプリケーションを容易に設定する仕組みを提供することを目的とする。
【手続補正３】
【補正対象書類名】明細書
【補正対象項目名】０００９
【補正方法】変更
【補正の内容】
【０００９】
アプリケーションの設定を行う情報処理装置と、前記アプリケーションの処理を実行するサーバとが通信可能な情報処理システムであって、前記情報処理装置は、前記アプリケーションを利用するクライアント装置から送信された検索処理の要求に応じて前記サーバで実行される当該検索処理の検索条件と、当該検索処理の検索結果として表示する前記アプリケーションの画面に含める表示項目との設定を受け付ける設定受付手段と、前記設定受付手段により設定を受け付けた検索条件と、前記表示項目の識別情報とを前記サーバに記憶させる設定情報記憶制御手段とを備え、前記サーバは、前記設定情報記憶制御手段の制御に従って、前記設定受付手段により設定を受け付けた検索条件と、表示項目の識別情報とを記憶する設定情報記憶手段と、前記クライアント装置から送信された前記検索処理の要求を受け付ける検索要求受付手段と、前記設定情報記憶手段に記憶されている検索条件と、表示項目の識別情報とを取得する設定情報取得手段と、前記検索要求受付手段により受け付けた検索処理の要求に応じて、前記設定情報取得手段により取得された検索条件を用いて前記検索処理を実行する検索実行手段と、前記検索実行手段により実行された検索処理により取得された検索結果を用いて、前記設定情報取得手段により取得された表示項目の識別情報に対応する項目を含む検索結果情報を生成する検索結果情報生成手段と、前記検索結果情報生成手段により生成された検索結果情報を前記クライアント装置に送信する検索結果情報送信手段とを備えることを特徴とする情報処理システム。
【手続補正４】
【補正対象書類名】明細書
【補正対象項目名】００１０
【補正方法】変更
【補正の内容】
【００１０】
本発明により、受け付けた設定に従って実行される検索処理の結果情報を生成するアプリケーションを容易に設定する仕組みを提供することが可能となった。